(57)【要約】【課題】可搬型カセットへの衝撃の有無を認識可能とするとともに、衝撃レベルの高い場合には補充動作を行わないようにすることにより機器の異常停止を防止する自動取引装置および可搬型カセットを提供する。【解決手段】自動取引装置に着脱可能な可搬型の紙幣カセット１７に、外部からの衝撃を検出する衝撃センサ２３ａ、２３ｂ、２３ｃを設けるとともに、衝撃情報を記憶する記憶部２２を設ける。カセット制御部２１は衝撃センサ２３ａ、２３ｂ、２３ｃの状態を常時監視する。紙幣カセット１７の運搬時の衝撃センサ２３ａ、２３ｂ、２３ｃの出力は衝撃情報として記憶部２２に記憶される。紙幣入出金制御部１２は、紙幣カセット１７の自動取引装置への装着時にカセット制御部２１から衝撃情報を取得し、衝撃が異常か正常かを判定し、異常の場合主制御部に通知する。【選択図】  図３
2008146128.tif 000002
【特許請求の範囲】
【請求項１】
可搬型の収納カセットを装着可能な自動取引装置において、
前記収納カセットに設けられ、該収納カセットに加えられる衝撃を検出する衝撃検出手段と、
前記衝撃検出手段により検出した衝撃情報を記憶する記憶手段と、
前記収納カセットが装着された場合に、前記記憶手段に記憶された衝撃情報に基づいて前記収納カセットに加えられた衝撃が正常か異常かを判定する制御手段とを具備したことを特徴とする自動取引装置。
【請求項２】
前記記憶手段は前記収納カセットに設けられる請求項１記載の自動取引装置。
【請求項３】
前記収納カセットが装着された場合に、前記収納カセットに加えられた衝撃が異常と判定された場合、異常な衝撃が加えられた旨の表示をする表示部を有する請求項１または２記載の自動取引装置。
【請求項４】
前記制御手段は、前記収納カセットが装着された場合、該収納カセットを動作させ、動作が正常に行われなかった場合に、前記記憶手段に記憶された衝撃情報に基づいて前記収納カセットに加えられた衝撃が正常か異常かを判定する請求項１、２または３記載の自動取引装置。
【請求項５】
前記制御手段は、前記収納カセットが装着された場合、該収納カセットを動作させ、その後、前記記憶手段に記憶された衝撃情報に基づいて前記収納カセットに加えられた衝撃が正常か異常かを判定し、異常と判定した場合、異常な衝撃が加えられた旨の表示をする請求項１記載の自動取引装置。
【請求項６】
自動取引装置に対して着脱可能で、自動取引装置と通信可能な収納カセットにおいて、
該収納カセットに加えられる衝撃を検出する衝撃検出手段と、
前記衝撃検出手段により検出した衝撃情報を記憶する記憶手段とを設けたことを特徴とする収納カセット。
【発明の詳細な説明】
【技術分野】
【０００１】
本発明は、金融機関等で使用される自動取引装置および該自動取引装置に着脱可能な収納カセットに関する。
【背景技術】
【０００２】
従来、金融機関等で使用される自動取引装置においては、顧客の操作により出金や入金等の取引が行われるが、装置内に収納してある現金の残量が少なくなると、補充を行う必要がある。自動取引装置への現金の補充は、従来より警備会社などへの委託により行われているが、現金のセキュリティと運用性に配慮して、通常、現金を収納した可搬型のカセットを自動取引装置にセットするにより行われている。このような可搬型の現金カセットを示すものとして、例えば特開２００６−８５３４６号公報に開示されるものがある。
【０００３】
可搬型カセットは自動取引装置への紙幣の補充又は回収の際に、警備員等により手で持ち運ばれるが、運搬中にカセットを転倒させたり、あるいはカセットを他のものにぶつけたりする場合があり、カセットに衝撃が加えられることがある。その場合、カセットに衝撃が加えられると、カセット内部の機構に不具合が生じ、自動取引装置への現金の補充の際に、カセットから現金を繰出すことができないなど動作不良になることがあった。
【特許文献１】特開２００６−８５３４６号公報
【発明の開示】
【発明が解決しようとする課題】
【０００４】
しかしながら、上記従来の技術においては、現金カセットが自動取引装置にセットされ、現金の補充動作において動作異常が発生した場合、その原因が現金カセットへの衝撃にあるのかどうかは、カセットの外観の異常の有無を確認する以外に確認方法がなかった。そのため本来は現金カセットの取り扱いの不備による動作異常が、カセットの製造上の不具合または保守の不具合として取り扱われることがあるという問題があった。
【０００５】
そこで本発明は、可搬型カセットへの衝撃の有無を認識可能とするとともに、衝撃レベルの高い場合には補充動作を行わないようにすることにより、機器の異常停止を防止する自動取引装置および可搬型カセットを提供することを目的とする。
【課題を解決するための手段】
【０００６】
上記課題を解決するために本発明は、可搬型の収納カセットを装着可能な自動取引装置において、前記収納カセットに設けられ、該収納カセットに加えられる衝撃を検出する衝撃検出手段と、前記衝撃検出手段により検出した衝撃情報を記憶する記憶手段と、前記収納カセットが装着された場合に、前記記憶手段に記憶された衝撃情報に基づいて前記収納カセットに加えられた衝撃が正常か異常かを判定する制御手段とを具備したことを特徴とする。
【０００７】
収納カセットに加えられた衝撃が異常と判定された場合、異常な衝撃が加えられた旨の表示をする表示部を設けるようにしてもよい。また制御手段は、収納カセットが装着された場合、該収納カセットを動作させ、動作が正常に行われなかった場合に、記憶手段に記憶された衝撃情報に基づいて収納カセットに加えられた衝撃が正常か異常かを判定するようにしてもよい。
【０００８】
また本発明による収納カセットは、自動取引装置に対して着脱可能で、自動取引装置と通信可能なものであって、収納カセットに加えられる衝撃を検知する衝撃検出手段と、衝撃検出手段により検出した衝撃情報を記憶する記憶手段とを設けたことを特徴とするものである。
【発明の効果】
【０００９】
本発明によれば、収納カセットは自動取引装置に装着される前に、衝撃検出手段と記憶手段により衝撃情報を保持している。収納カセットが自動取引装置に装着されると、制御手段が衝撃情報に基づいて収納カセットに加えられた衝撃が正常か異常かを判定する。これにより収納カセットに加えられた衝撃の程度を認識することが可能である。
【発明を実施するための最良の形態】
【００１０】
以下、本発明の実施の形態を図面にしたがって説明する。各図面に共通する要素には同一の符号を付す。図１は本発明の実施の形態の自動取引装置を示す構成図である。まず自動取引装置の構成について説明する。
【００１１】
図１において、自動取引装置１には、装置１の動作全体を制御する主制御部２、通信制御部３、操作部４、紙幣入出金部５、硬貨入出金部６、通帳読取印字部７およびカード読取印字部８が設けられている。主制御部２は通信回線９により上記の各部に接続し、これらの各部を制御する。通信制御部３は専用回線９を介して上位装置（ホストコンピュータ）と接続され、上位装置との通信の授受を制御する。
【００１２】
操作部４は表示部１０と図示しないタッチパネルで構成され、主制御部２の指示により表示が可能であるとともに入力が可能である。紙幣入出金部５は紙幣の入出金処理を行うものである。なお紙幣入出金部５については後述する。硬貨入出金部６は硬貨の入出金処理を行うものである。通帳読取印字部７は、通帳挿入口から挿入された通帳に対して磁気ストライプの読取り及び書き込みを行うとともに、取引データの印字等を行う。カード読取印字部８は、カード挿入口から挿入されたカードから取引情報を読取るとともにレシートの印字等を行うものである。
【００１３】
図２は紙幣入出金部を示すブロック構成図である。図２において、紙幣入出金部５には、紙幣入出金制御部１２、入出金口部１３、認識部１４、一時保留部１５、スタッカ部１６ａ、１６ｂおよび紙幣カセット１７が設けられている。紙幣入出金制御部１２は、主制御部２に接続され、主制御部２からの指示により紙幣入出金部５を制御する。入出金口部１３は顧客に対して紙幣の入金及び出金を行う部分である。
【００１４】
認識部１４は、入金紙幣、出金紙幣または補充紙幣を認識し、紙幣の金種、真偽、正損等を判別する。一時保留部１５は入金された紙幣を、入金処理が確定するまで一時保留する。スタッカ部１６ａ、１６ｂは金種別に紙幣を収納しておくもので、出金用の紙幣を供するとともに、入金された紙幣のうち出金用として使用可能な紙幣を収納する。紙幣カセット１７は補充用の紙幣および回収した紙幣を収納するもので、紙幣入出金部５および自動取引装置１に対して着脱可能となっている。
【００１５】
図３は紙幣カセットを示す構成図である。図３において、紙幣カセット１７には、カセット制御部２１、記憶部２２および衝撃センサ２３ａ、２３ｂ、２３ｃが設けられている。カセット制御部２１は紙幣入出金制御部１２の指示により紙幣カセット１７を制御するとともに、衝撃センサ２３ａ、２３ｂ、２３ｃの状態を常時監視し、記録するための最小限の機能、即ち、バックアップバッテリ機能やバックアップメモリ等の機能を有する。
【００１６】
衝撃センサ２３ａ、２３ｂ、２３ｃは、紙幣カセット１７に加えられる衝撃を検出するもので、圧電素子等により構成される。記憶部２２は、カセット制御部２１で所定時間毎に監視した衝撃センサ２３ａ、２３ｂ、２３ｃの出力を記憶するもので、図示しない電源部によりバッテリバックアップされている。
【００１７】
次に実施の形態の動作を図４に示すフローチャートにしたがって説明する。図４は実施の形態における紙幣カセットに対する衝撃検出動作を示すフローチャートである。ここでは紙幣入出金部の紙幣入出金制御部の動作を中心に説明する。紙幣を収納した紙幣カセット１７では、金融機関等に運搬される際に、紙幣カセット１７に加えられる衝撃が、衝撃センサ２３ａ、２３ｂ、２３ｃにより検出される。カセット制御部２１は、衝撃センサ２３ａ、２３ｂ、２３ｃを常時監視しており、衝撃センサ２３ａ、２３ｂ、２３ｃの出力は記憶部２２に格納されている。したがって紙幣カセット１７が自動取引装置１に装着される前に、記憶部２２には衝撃センサ２３ａ、２３ｂ、２３ｃの出力が記憶されている。
【００１８】
その状態で係員により紙幣カセット１７が自動取引装置１の紙幣入出金部５に装着されると、図示しない検知手段により紙幣カセット１７の装着が検知される（ステップ１）。これにより紙幣入出金制御部１２は、予め定められた通信手順に従って、紙幣カセット１７のカセット制御部２１と回線接続を行う（ステップ２）。
【００１９】
また紙幣カセット１７の装着後、係員は自動取引装置１の操作部４によりリセットボタンを押下する。リセットボタンの押下により自動取引装置１の主制御部２は、各部のリセット処理を行う。これにより紙幣入出金制御部１２も必要な各部のリセット処理を行う（ステップ３）。
【００２０】
続いて主制御部２は、装置内の各部に対して状態取得のコマンドを発行する。紙幣入出金制御部１２はこのコマンドを受けると（ステップ４）、紙幣カセット１７を含む紙幣入出金部５内の各部から通信等により状態情報の取得を開始する（ステップ５）。紙幣入出金制御部１２から通信により状態取得のコマンドを受けたカセット制御部２１は、これまで記憶部２２に記憶していた衝撃センサ２３ａ、２３ｂ、２３ｃの出力である衝撃情報を紙幣入出金制御部１２へ返信して通知する。衝撃情報には衝撃の強さの程度を示す衝撃レベルの情報も含まれている。これにより紙幣入出金制御部１２は、衝撃情報を含む状態情報を取得する（ステップ６）。
【００２１】
次に紙幣入出金制御部１２は、取得した衝撃情報に基づいて、衝撃レベルに異常があるかどうか判定する（ステップ７）。衝撃レベルが或る閾値を超えている場合は異常であると判定し、超えていない場合は正常であると判定する。衝撃レベルが正常であると判定した場合、その旨の通知を主制御部２に対して返信する（ステップ８）。その後は紙幣の補充動作等の通常処理動作に移行する。
【００２２】
ステップ７において衝撃レベルが異常であると判定した場合、紙幣カセット１７に異常な衝撃が加えられていると判断し、主制御部２に対してエラー通知等により異常の旨を通知する（ステップ９）。主制御部２はエラー通知を受けると、操作部４の表示部１１に、紙幣カセット１７に衝撃が加えられた旨の表示を行う。この表示により係員は、紙幣カセット１７の衝撃による異常を知ることができる。
【００２３】
以上のように本実施の形態によれば、運搬中における紙幣カセット１７に加えられた衝撃情報を紙幣カセット１７に保持し、紙幣カセット１７が自動取引装置１に装着された時点で衝撃情報を自動取引装置１へ送信し、自動取引装置１側で紙幣補充動作の前に、衝撃による紙幣カセット１７の異常の有無を判定するようにしたので、紙幣カセット１７への衝撃を原因とする装置の異常停止を防止することができる。
【００２４】
上記実施の形態では、紙幣の補充動作前に紙幣入出金制御部１２により紙幣カセット１７への衝撃の異常の有無を判定しているが、紙幣カセット１７を装着した後、まず紙幣の補充動作を行い、その後衝撃の異常の有無を判定するようにしてもよい。この動作を変形例として図５に示すフローチャートにしたがって説明する。図５は変形例における紙幣カセットに対する衝撃検出動作を示すフローチャートである。
【００２５】
上記実施の形態と同様に、紙幣を収納した紙幣カセット１７では、金融機関等に運搬される際に、紙幣カセット１７に対する衝撃が、衝撃センサ２３ａ、２３ｂ、２３ｃにより検出される。カセット制御部２１は、衝撃センサ２３ａ、２３ｂ、２３ｃを常時監視しており、衝撃センサ２３ａ、２３ｂ、２３ｃの出力は記憶部２２に格納されている。
【００２６】
その状態で係員により紙幣カセット１７が紙幣入出金部５に装着されると、図示しない検知手段により紙幣カセット１７の装着が検知される（ステップ１１）。これにより紙幣入出金制御部１２は、予め定められた通信手順に従って、紙幣カセット１７のカセット制御部２１と回線接続を行う（ステップ１２）。
【００２７】
また紙幣カセット１７の装着後、係員は自動取引装置１の操作部４によりリセットボタンを押下する。リセットボタンの押下により自動取引装置１の主制御部２は、各部のリセット処理を行う。これにより紙幣入出金制御部１２も必要な各部のリセット処理を行う（ステップ１３）。
【００２８】
次に紙幣入出金制御部１２は、カセット制御部２１に対して紙幣カセット１７を駆動する指示を出し、紙幣の補充動作を開始する（ステップ１４）。この補充動作において、紙幣入出金制御部１２は、図示しない検知手段により、紙幣カセット１７側に異常が発生したかどうかを判断する（ステップ１５）。
【００２９】
補充動作において紙幣カセット１７側に異常が発生した場合、紙幣入出金制御部１２は、紙幣カセット１７に対し状態情報取得のコマンドを発行し、カセット制御部２１から衝撃情報を取得する（ステップ１６）。即ち、紙幣入出金制御部１２から通信により状態取得のコマンドを受けたカセット制御部２１は、これまで記憶部２２に記憶していた衝撃情報を紙幣入出金制御部１２へ返信して通知する。衝撃情報には衝撃の強さの程度を示す衝撃レベルの情報も含まれている。
【００３０】
次に紙幣入出金制御部１２は、取得した衝撃情報に基づいて、衝撃レベルに異常があるかどうか判定する（ステップ１７）。この場合も衝撃レベルが或る閾値を超えている場合は異常であると判定し、超えていない場合は正常であると判定する。衝撃レベルが正常であると判定した場合、その旨の通知を主制御部２に対して返信する（ステップ１８）。主制御部２はエラー通知を受けると、操作部４の表示部１１に、紙幣カセット１７に衝撃が加えられた旨の表示を行う。この表示により係員は紙幣カセット１７に対する衝撃の異常により紙幣補充動作にエラーが発生したことを知ることができる。
【００３１】
ステップ１７において衝撃レベルが正常であると判定した場合、紙幣入出金制御部１２は、その旨の通知を主制御部２に対して返信する（ステップ１９）。主制御部２は正常通知を受けると、操作部４の表示部１１に、紙幣カセット１７に対する衝撃による異常はない旨の表示を行う。これにより係員は、補充動作の異常は紙幣カセット１７に対する衝撃によるものではないことを確認できる。
【００３２】
ステップ１５において補充動作に異常が発生しない場合は、紙幣入出金制御部１２は、ステップ２０において紙幣カセット１７のカセット制御部２１から衝撃情報を取得し、取得した衝撃情報に基づいて、衝撃レベルに異常があるかどうか判定する（ステップ２１）。
【００３３】
ステップ２１において衝撃レベルに異常があると判定されると、紙幣入出金制御部１２は、その旨を主制御部２に通知する（ステップ２２）。通知を受けた主制御部２は、紙幣の補充動作は正常に行われているが、紙幣カセット１７へ異常な衝撃が加えられている旨の表示を表示部１１に行う。この場合、紙幣カセット１７の交換や修理を指示する表示を行うようにしてもよい。
【００３４】
ステップ２１において紙幣カセット１７に対する衝撃に異常がないと判定されると、紙幣入出金制御部１２は補充動作にも紙幣カセット１７への衝撃にも異常がないと判断し、通常処理を続行する。
【００３５】
以上のように、上記変形例によれば、紙幣の補充動作開始後に衝撃の異常の有無を判定するようにしているので、もし補充動作において異常が発生した場合には異常の原因を特定することが可能となり、また補充動作において異常が発生しない場合は、紙幣カセット１７への衝撃による異常が発生する可能性があるかどうかを確認することができる。なお上記ステップ１５において補充動作に異常が発生しないと判定された場合には、紙幣カセット１７の衝撃情報を取得しないようにしてもよい。
【００３６】
上記実施の形態及び変形例において、紙幣カセット１７が衝撃を受けて故障し、修理を行う場合に、記憶部２２に記憶していた衝撃情報を消去することにより、修理後においても故障前と同様に、紙幣カセット１７に対する衝撃の監視および記憶を行うことができる。また記憶部２２に記憶している衝撃情報のうち、衝撃レベルは消去し、異常となる衝撃があったことを示す履歴フラグだけ残すようにしてもよい。
【００３７】
また上記実施の形態及び変形例においては、自動取引装置１の紙幣入出金部５に装着される紙幣カセット１７を例にして説明したが、この他にも硬貨カセットや、あるいは衝撃などによる機能不良の惧れのある可搬型のカセットに対しても本発明は適用可能である。
【図面の簡単な説明】
【００３８】
【図１】実施の形態の自動取引装置を示す構成図である。
【図２】紙幣入出金部を示すブロック構成図である。
【図３】紙幣カセットを示す構成図である。
【図４】実施の形態における紙幣カセットに対する衝撃検出動作を示すフローチャートである。
【図５】変形例における紙幣カセットに対する衝撃検出動作を示すフローチャートである。
【符号の説明】
【００３９】
１  自動取引装置
２  主制御部
５  紙幣入出金部
１２  紙幣入出金制御部
１７  紙幣カセット
２１  カセット制御部
２２  記憶部
２３ａ、２３ｂ、２３ｃ  衝撃センサ
【図１】
2008146128.tif 000003
【図２】
2008146128.tif 000004
【図３】
2008146128.tif 000005
【図４】
2008146128.tif 000006
【図５】
2008146128.tif 000007